(57)【要約】【課題】制御電源の供給が喪失したときに、改質器の触媒を劣化させずに改質器を停止する改質システムを提供することである。【解決手段】原料水ポンプにより供給される原料水から得られる水蒸気により原燃料を改質して水素含有ガスを生成する改質器を具備する改質システムにおいて、外部から制御電源が供給されて運転中のときには、上記原料ポンプから供給される原料水を運転中の上記改質器に原料水を供給するために必要な圧力に相当する水位まで溜めて原料水を上記改質器に供給し、上記制御電源が喪失したときには、内に溜まっている原料水を上記改質器に供給する貯水槽を備える。【選択図】図１
2007153681.tif 000002
【特許請求の範囲】
【請求項１】
原料水ポンプにより供給される原料水から得られる水蒸気により原燃料を改質して水素含有ガスを生成する改質器を具備する改質システムにおいて、
外部から制御電源が供給されて運転中のときには、上記原料ポンプから供給される原料水を運転中の上記改質器に原料水を供給するために必要な圧力に相当する水位まで溜めて原料水を上記改質器に供給し、上記制御電源が喪失したときには、内に溜まっている原料水を上記改質器に供給する貯水槽を備えることを特徴とする改質システム。
【請求項２】
上記貯水槽は、溜められる原料水により内部にガス空間が形成される気密容器であり、上記制御電源が供給されて運転中のときには、運転中の上記改質器に原料水を供給する圧力が溜まっている原料水の水位に係わる水圧と上記ガス空間の圧力との和に釣り合っていることを特徴とする請求項１に記載する改質システム。
【請求項３】
上記ガス空間に連なり、上記制御電源が供給されて運転中のときには、運転中に達する上記ガス空間での最大圧力でガスを貯め、上記制御電源が喪失したときには、貯められたガスを上記ガス空間に流す蓄圧部を備えることを特徴とする請求項２に記載する改質システム。
【請求項４】
上記ガス空間に連なり、上記制御電源が喪失したときに、上記ガス空間に補充ガスを補充する補充ガス供給部を備えることを特徴とする請求項２に記載する改質システム。
【請求項５】
水素含有ガスを上記改質器から出力する導管から分岐し、上記制御電源が喪失したときに、上記導管の分岐した地点を外部に開放する水蒸気排気部を備えることを特徴とする請求項１乃至４のいずれか一項に記載する改質システム。
【発明の詳細な説明】
【技術分野】
【０００１】
この発明は、原燃料と原料水から水素含有ガスを生成する改質システムに関するものである。
【背景技術】
【０００２】
都市ガス、ＬＰＧまたは灯油などの原燃料を水素含有ガスに改質する改質システムは、燃料電池発電システムにおける燃料電池の燃料ガス生成に用いられている。原燃料の改質には、水蒸気改質法が用いられ、改質器には数百度の温度に制御された改質触媒が充填されており、水蒸気と原燃料を触媒により反応させて水素含有ガスを生成する。生成した水素含有ガスは、温度制御された触媒が充填された一酸化炭素転化部、一酸化酸素酸化部で水素含有ガス中の一酸化炭素が除去される。そして、改質システムは、改質器に原料水を供給する原料水ポンプや原燃料を供給する原燃料供給手段などの補機を制御駆動する制御装置を備える。
【０００３】
燃料電池発電システムを停止させる場合、すなわち改質システムを停止する場合には改質器触媒の劣化を防ぐために改質器に残留している原燃料や可燃性ガスを除去する必要がある。このため、システム停止時に改質器への原燃料の供給を停止する一方で原料水の供給を継続する方法が提案されている。停止時には、水蒸気発生部に供給される原料水が余熱で気化し、水蒸気だけが改質器を流通し内部に残留している原燃料や可燃性ガスを排除することができ、改質器触媒の劣化を防止できる（例えば、特許文献１参照）。
【０００４】
【特許文献１】特開２００３−２８２１１４号公報
【発明の開示】
【発明が解決しようとする課題】
【０００５】
ところで、燃料電池発電システムと改質システムを動かすためにはポンプや弁などの補機を動かすための制御電源が必要である。そして、燃料電池が発電中のときには制御電源を発電電力から供給することができるが、燃料電池を停止する時には外部電源から制御電源の供給を受けなければならない。そして、改質システムの上述の停止方法では、発電停止後にも原料水ポンプを動かし続け、改質器への原料水供給を継続する必要がある。
しかし、一般には外部電源として商用電源を使用しているために、商用電源の停電時には原料水ポンプが停止するので、改質器内部に原燃料や可燃性ガスが残留したままになり、改質器の触媒の劣化が起きるという問題がある。
【０００６】
この発明の目的は、制御電源の供給が喪失したときに、改質器の触媒を劣化させずに改質器を停止する改質システムを提供することである。
【課題を解決するための手段】
【０００７】
この発明に係わる改質システムは、原料水ポンプにより供給される原料水から得られる水蒸気により原燃料を改質して水素含有ガスを生成する改質器を具備する改質システムにおいて、外部から制御電源が供給されて運転中のときには、上記原料ポンプから供給される原料水を運転中の上記改質器に原料水を供給するために必要な圧力に相当する水位まで溜めて原料水を上記改質器に供給し、上記制御電源が喪失したときには、内に溜まっている原料水を上記改質器に供給する貯水槽を備える。
【発明の効果】
【０００８】
この発明に係わる改質システムの効果は、外部からの制御電源の供給が喪失したとき、改質器への原燃料の供給は停止するが、原料水の供給は継続するので、改質器内に残留している原燃料や可燃性ガスを押し出し、改質器内から除去することができ、触媒劣化を起こさずに改質器を停止することができる。
【発明を実施するための最良の形態】
【０００９】
実施の形態１．
図１は、この発明の実施の形態１に係わる改質システムを適用する燃料電池発電システムの主要部の構成図である。
この発明の実施の形態１に係わる改質システム１は、図１に示すように、燃料電池２の燃料極２ａに水素含有ガスからなる燃料ガスを燃料ガス供給導管３を介して供給するために燃料電池発電システムに適用される。この燃料電池２は、燃料極２ａと酸化剤極２ｂとを備え、酸化剤極２ｂには空気ブロア４から酸化剤ガスである空気が供給される。図１では省略しているが、燃料電池２の発電出力は電力変換されて外部負荷に供給される。
また、燃料極２ａに供給される燃料ガスの内の未反応分は、燃料オフガスとして燃料オフガス排気導管５を通り、改質器６に戻される。燃料オフガス排気導管５には燃料極２ａから改質器６に向かう方向の流れのみ通す逆止弁７が設けられている。
【００１０】
この改質システム１は、図示していないが、一体構造になっている水蒸気発生部、改質部、一酸化炭素転化部、一酸化炭素酸化部を具備する改質器６、燃料ガスを生成するための原料の１つである原燃料を改質器６に供給する原燃料供給部１０、もう１つの原料である原料水を改質器６に供給する原料水供給部１１を備える。
【００１１】
原燃料供給部１０は、原燃料供給手段としての原燃料源１５、原燃料源１５と改質器６とを連通し、原燃料が流される原燃料供給導管１６、原燃料供給導管１６に介設され、原燃料の流れを制御する原燃料供給弁１７を備える。
原燃料源１５は、原燃料が都市ガスであるならば都市ガス配管、ＬＰＧであるならばＬＰＧガスボンベ、灯油であるならば灯油タンクである。
原燃料供給弁１７は、制御電源の喪失時に原燃料の供給を停止できるように自動的に閉止状態になる弁、例えば、ノーマルクローズ弁である。
なお、原燃料供給手段は、原燃料源１５における供給圧力が不足する場合にはポンプやブロアなどが併設される。
【００１２】
原料水供給部１１は、原料水タンク１９、原料水ポンプ２０、貯水槽２１、原料水ポンプ２０と貯水槽２１の注水孔２２とを連通する第１原料水供給導管２３、改質器６と貯水槽２１の出水孔２４とを連通する第２原料水供給導管２５、第１原料水供給導管２３に介設され、原料水の流れを制御する原料水供給弁２６を備える。
貯水槽２１の出水孔２４は、改質システム１の停止時に出水孔２４が空中に出て改質器６へ空気が侵入することを防ぐために、改質器６への原料水の供給が停止したときの原料水の水位（以下、停止時水位と称す。）２９より下方に位置するように設けられている。
原料水供給弁２６は、改質システム１の停止時に貯水槽２１に溜まっている原料水が原料水ポンプ２０を停止したときに原料水ポンプ２０の方向に逆流しないようにするため、制御電源喪失時に自動的に閉状態となるような弁、例えば、ノーマルクローズ弁である。
【００１３】
また、原料水ポンプ２０、空気ブロア４、原燃料供給弁１７、原料水供給弁２６などを稼動するために必要な制御電源は、燃料電池２の発電中には発電出力を使用し、燃料電池２が発電していないときには商用電源を使用するのが一般的だが、この説明では常時商用電源から制御電源の供給を受けているとする。
なお、以下の説明における電源の供給とは、制御装置を駆動するために必要な電力を供給することであり、制御電源の喪失とは、制御装置を駆動するために必要な電力の供給が一般には意図せずに停止したことを意味する。
【００１４】
次に、燃料電池発電システムおよび改質システム１の動作について説明する。
燃料電池発電システムおよび改質システム１が停止しているときには、空気ブロア４と原料水ポンプ２０は停止しており、原燃料供給弁１７と原料水供給弁２６はノーマルクローズ弁のため閉止状態にある。また、貯水槽２１には停止時水位２９まで原料水が溜まっている。
【００１５】
燃料電池発電システムおよび改質システム１が運転されているときには、空気ブロア４と原料水ポンプ２０は稼動しており、原燃料供給弁１７と原料水供給弁２６は開状態にある。
このとき、燃料電池２の酸化剤極２ｂには、空気ブロア４から空気が供給され、燃料極２ａには改質器６から燃料ガスが供給され、燃料電池２で発電している。また、燃料極２ａから排出される燃料オフガスは、燃料オフガス排気導管５を通して改質器６に供給され、バーナで燃焼される。燃焼に伴って発生する熱エネルギーは、改質器６の触媒温度や水蒸気発生部を適温に維持するとともに、水蒸気発生部に必要な原料水の気化熱や改質に必要な改質エネルギーとして供される。
【００１６】
運転されているときの改質器６の内部では、高温で改質反応や原料水の気化が起こっているために、改質器６の内圧は大気圧より高くなっている。また、燃料ガスを燃料ガス供給導管３を通して燃料極２ａに供給し、燃料極２ａから燃料オフガスを燃料オフガス排気導管５を通して改質器６に送る際の圧力損失もあるので、改質器６に原料水を供給するためには数ｋＰａから数十ｋＰａの供給圧力が必要になる。以降、この改質器６に原料水を供給するため改質器６の入口での原料水に必要な供給圧力を改質器側原料水供給圧力と称す。
【００１７】
原料水は、原料水タンク１９から原料水ポンプ２０より送り出され、第１原料水供給導管２３を通って貯水槽２１に送られるが、出水孔２４において原料水に加わる圧力（以下、貯水槽側原料水供給圧と称す。）が改質器側原料水供給圧力より低いときには原料水は貯水槽２１に溜まっていき、貯水槽２１内の原料水の水位は上昇する。
そして、貯水槽２１内の原料水の水位が改質器６の改質器側原料水供給圧力に相当する水位（以下、相当水位と称す。）を超えると、原料水は第２原料水供給導管２５を通って改質器６に供給される。そして、改質システム１の運転中においては、貯水槽２１内の原料水の水位が運転時相当水位３０で釣り合う。改質器側原料水供給圧力は貯水槽側原料水供給圧Ｐｏｕｔと等しく、貯水槽側原料水供給圧Ｐｏｕｔは、式（１）により求められる。但し、Ｈは運転時相当水位３０から出水孔２４までの深さ、ｋは定数である。
【００１８】
Ｐｏｕｔ＝ｋ×Ｈ・・・（１）
【００１９】
当然、貯水槽２１の出水孔２４は、運転時相当水位３０より下方に位置するように設けられている。従って、運転時の貯水槽２１内の原料水は、運転時相当水位３０で溜まっているので、所定の圧力、流量の原料水が第２原料水供給導管２５を通り改質器６に供給される。一方、原燃料も原燃料源１５から原燃料供給導管１６を通って所定の圧力で所定の流量が改質器６に供給される。
【００２０】
次に、制御電源としての商用電源が停電した時の動作について説明する。
商用電源が停電すると燃料電池発電システムおよび改質システム１の制御電源が喪失するので、空気ブロア４と原料水ポンプ２０は停止する。また、原燃料供給弁１７と原料水供給弁２６は制御電源喪失時に自動的に閉止するノーマルクローズ弁であるために、閉止する。このため改質器６への原燃料の供給は停止する。
一方、原料水は、貯水槽２１に運転時相当水位３０まで溜まっているため、制御電源が喪失した時点では、運転時の貯水槽側原料水供給圧で改質器６に供給される。改質器６に供給された原料水は、余熱によって気化され、気化された水蒸気は改質器６内部に残留している原燃料や可燃性ガスを押し出し、改質器６内部から原燃料や可燃性ガスを除去する。
【００２１】
制御電源が喪失した時点から時が経過すると、原料水の供給に従って貯水槽２１内の原料水の水位は低下し、貯水槽側原料水供給圧も低下する。しかし、改質器６への原燃料の供給が停止しているので、改質反応が停止し、燃料ガスの発生がなくなること、および、燃料オフガス排気導管５から改質器６に供給される燃料オフガス中の可燃成分ガスがなくなることにより、改質器６内部の温度が低下し、改質器６の改質器側原料水供給圧力も低下する。このように、原料水を改質器６に供給するために要する供給圧力が低下していくので、原料水の供給が直に停止することはない。
【００２２】
そして、貯水槽２１内の原料水の水位が更に低下し、貯水槽側原料水供給圧が停止中の改質器６に原料水を供給するために要する供給圧力より低下すると、原料水の供給は停止する。
また、逆止弁７が有るために、改質器６に空気が逆流して触媒を酸化させることもない。
【００２３】
このような改質システム１は、制御電源が喪失したとき、改質器６への原燃料の供給は停止するが原料水の供給は継続するので、改質器６内に残留している原燃料や可燃性ガスを押し出し、改質器６内から除去することができ、触媒劣化を起こさずに改質器６を停止することができる。
【００２４】
なお、実施の形態１においては、制御電源を商用電源から供給しているが、制御電源を燃料電池２の発電出力から供給しても、結局燃料電池２の発電停止後の制御電源は商用電源から供給しなければならないので、改質器６に原料水を制御電源の喪失後も供給継続することは同じになる。
但し、異なる点は、燃料電池発電システムを停止するときに制御電源が喪失することを予め予測できる点である。すなわち、燃料電池２を停止する前に改質器６に供給する原燃料を減らして運転し、停止後の改質器６内に残留する原燃料や可燃性ガスを少なくすることができる。また、貯水槽２１に溜められた原料水の水位を通常より上昇させ、原料水の溜められた量を増やし、制御電源喪失後に長く原料水の供給を継続することができる。
【００２５】
また、実施の形態１においては、制御電源喪失時に自動的に閉じる原料水供給弁２６を備えたが、逆流を阻止するためには、原料水ポンプ２０から注水孔２２の方向への流れしか通さない図示しない逆止弁を第１原料水供給導管２３に設けてもよい。
また、停止時の原料水タンク１９の原料水の水位や停止した原料水ポンプ２０の逆方向の閉止性などにより、制御電源喪失時に原料水供給弁２６が自動的に閉止する必要がない場合もある。すなわち、停止時に貯水槽２１の原料水の一部は原料水タンク１９へ戻るが、改質器６へも必要量の原料水が供給されるように構成できる場合もある。
【００２６】
また、図２に示すように、注水孔２２を運転時相当水位３０より上方に配設すれば、制御電源喪失時に自動的に閉止する原料水供給弁２６を第１原料水供給導管２３に設けなくてもよい。
【００２７】
また、燃料電池発電システムを起動するときには、先ず改質器６で燃料ガスを生成できるようになるまで触媒を昇温するために改質器６の暖機運転が必要となる。暖機運転中に改質器６の温度が上昇すると、改質器６の内部圧力が上昇し、第２原料水供給導管２５を改質器６内のガスが逆流し貯水槽２１から放出される場合がある。これを防ぐためには第２原料水供給導管２５に貯水槽２１から改質器６への方向の流れだけを通す図示しない逆止弁を設置すればよい。
また、第２原料水供給導管２５に図示しない制御弁を設け、暖機運転中はこの制御弁を閉状態にしておき、運転中は開状態にしておけばよい。この制御弁は、制御電源喪失時に自動的に開状態になる弁、例えば、ノーマルオーオープン弁である。
【００２８】
また、実施の形態１においては、貯水槽２１の注水孔２２と出水孔２４とが別々に設けられているが、図３に示すように、貯水槽２１の下部に導管２７を接続し、注水孔２２と出水孔２４を同じにしても同様な効果がある。このような構成にすると、導管２７の長さを調整することで、貯水槽２１の設置高さを調整しやすくなる。
【００２９】
また、実施の形態１においては、逆止弁７を燃料オフガス排気導管５に介設したが、改質器６の触媒が空気により劣化される恐れが少なければ省略してもよい。
また、実施の形態１においては、停止時において原料水の改質器６への供給が停止したときの原料水の停止時水位２９が出水孔２４の上方にくるようにしたが、改質器６の触媒が空気により劣化される恐れが少なければ、停止時において原料水の改質器６への供給が停止したとき出水孔２４が原料水の停止時水位２９より上方になるように配設してもよい。
【００３０】
また、実施の形態１においては、原料水ポンプ２０と改質器６の間に貯水槽２１を設けているが、原料水ポンプ２０の送出する原料水量Ｑｐと改質器６に供給される原料水量Ｑｒとの水量差ΔＱがあると、貯水槽２１の水位が変化する。水量差ΔＱは、貯水槽２１の水位Ｈの水位変化ΔＨと貯水槽断面積Ｓを用いて式（２）により求められる。
【００３１】
ΔＱ＝ΔＨ×Ｓ・・・（２）
【００３２】
従って、改質器６へ供給する原料水量Ｑｒの制御を正確に行うためには、貯水槽２１に図示しない水位計を設け、水位Ｈをモニターし、式（３）を満たすように原料水ポンプ２０の送出する原料水量Ｑｐを制御すればよい。但し、Ｑｒ＊は改質器６に供給すべき原料水量である。
【００３３】
Ｑｐ＝Ｑｒ＊＋ΔＨ×Ｓ・・・（３）
【００３４】
また、直接改質器６に供給される原料水量Ｑｒを測定するために第２原料水供給導管２５に図示しない流量計を備えて、この流量計の計測値がＱｒ＊となるように原料水ポンプ２０の送出する原料水量Ｑｐを制御してもよい。
【００３５】
実施の形態２．
図４は、この発明の実施の形態２に係わる改質システムを適用した燃料電池発電システムの主要構成図である。
この発明の実施の形態２に係わる改質システム１Ｂは、実施の形態１に係わる改質システム１と原料水供給部１１Ｂが異なり、それ以外は同様であるので、同様な部分に同じ符号を付記して説明は省略する。
実施の形態２に係わる原料水供給部１１Ｂは、実施の形態１に係わる原料水供給部１１と貯水槽２１Ｂが異なり、それ以外は同様であるので、同様な部分に同じ符号を付記して説明は省略する。
実施の形態２に係わる貯水槽２１Ｂは、気密容器であり、気密容器の原料水が占めている空間以外の空間（以下、ガス空間と称す。）８はガスにより占められている。
【００３６】
なお、ガス空間８のガスは、原料水や構造材と反応しなければ、いずれのガスでも使用できる。空気でも窒素でも二酸化炭素でもよい。さらに、改質器６の触媒に悪影響を与えないガスであれば好ましい。この場合は、出水孔２４が原料水の停止時水位２９より上方に位置し、改質器６にガスが入っても改質器６の触媒が劣化しないため、停止時の水位管理が不要になる。
【００３７】
また、ガス空間８のガスが改質器６の触媒に悪影響を与えるガスでも、停止時に出水孔２４が貯水槽２１の原料水の水面下になるのでガスが改質器６に流れない。
また、ガスが改質器６の触媒に悪影響を与えるガスでも、図５に示すように、出水孔２４に水位によって開閉する水位弁３１を設け、改質器６へのガス空間８のガスの流入を防ぐことができる。
図５は、水位弁３１の動作を示しており、図５（ａ）は、水位弁３１が開の状態、図５（ｂ）は、水位弁３１が閉の状態を示している。
図５（ａ）において、貯水槽２１Ｂから第２原料水供給導管２５への入り口である出水孔２４に取り付けられた水位弁３１は、弁座３２と接離可能な可動弁３３がロッド３４でフロート３５に接続されている。貯水槽２１内の原料水の水位３６がフロート３５より上であれば、フロート３５は浮力を得てフロート３５に接続された可動弁３３を弁座３２から引き離しており、出水孔２４は開状態であり、原料水は第２原料水供給導管２５を通って改質器６に供給される。
【００３８】
水位３６が下がると、図５（ｂ）に示すようにフロート３５が浮力を失い可動弁３３が弁座３２に接して出水孔２４が閉じる。すなわち出水孔２４が水面上に出る前に水位弁３１が閉じるため、ガス空間８のガスが改質器６に入ることはなく、改質器６の触媒に悪影響を与えるガスであっても貯水槽２１Ｂのガス空間８のガスとして用いることができる。なお、水位弁３１の構造は図５に示したものに限らない。
【００３９】
次に、実施の形態２に係わる改質システム１Ｂの動作について説明する。
改質システム１Ｂが停止しているとき、実施の形態１に係わる改質システム１と同様であり、停止状態の貯水槽２１Ｂの原料水は、停止時水位２９まで溜まっている。
改質器６に原料水を供給するために原料水ポンプ２０を動かすと、まず改質器６に原料水を供給するために必要な貯水槽側原料水供給圧になるまで、貯水槽２１Ｂに原料水が溜まっていく。
このときに貯水槽２１Ｂのガス空間８の容積は縮小し、ガスが圧縮され、貯水槽２１Ｂのガス空間の圧力は上昇する。また、原料水の水位が上昇することによっても出水孔２４での貯水槽側原料水供給圧Ｐｏｕｔは上昇する。出水孔２４での貯水槽側原料水供給圧Ｐｏｕｔが改質器６の改質器側原料水供給圧力を超えると、原料水が改質器６に供給され始め、運転時の貯水槽側原料水供給圧になると原料水ポンプ２０の供給原料水量と改質器６に供給される原料水量が等しくなり、貯水槽２１Ｂ内の運転時相当水位３０で釣り合う。
停止状態の貯水槽２１Ｂのガス空間８の容積ＶＯ、圧力ＰＯ（絶対圧）、運転時に貯水槽２１Ｂに溜められた原料水の体積増分ｖ、運転時相当水位３０から出水孔２４までの深さＨとすると、出水孔２４での貯水槽側原料水供給圧Ｐｏｕｔ（絶対圧）は式（４）で求められる。但し、ｋは定数である。
【００４０】
Ｐｏｕｔ＝ＶＯ×ＰＯ／（ＶＯ−ｖ）＋ｋ×Ｈ・・・（４）
【００４１】
従って、運転中は貯水槽２１Ｂに原料水が運転時相当水位３０まで溜められており、出水孔２４での貯水槽側原料水供給圧Ｐｏｕｔは運転時の改質器側原料水供給圧力を超えている。このとき、制御電源が喪失すると、空気ブロア４と原料水ポンプ２０が停止し、原料水供給弁２６と原燃料供給弁１７が閉止し、原燃料の供給は停止する。しかし、貯水槽２１Ｂ内には原料水が運転時相当水位３０まで溜められているので、出水孔２４から第２原料水供給導管２５を通って原料水が改質器６に供給され続ける。改質器６に供給された原料水は、改質器６の余熱により水蒸気となり、改質器６内に残留している原燃料や可燃性ガスを排除することができる。貯水槽２１Ｂ内の原料水量が減り、出水孔２４での貯水槽側原料水供給圧が改質器６の改質器側原料水供給圧力より低くなると、原料水の供給は停止する。
【００４２】
このような改質システム１Ｂは、制御電源が喪失したとき、改質器６への原燃料の供給は停止するが原料水の供給は継続するので、改質器６内に残留している原燃料や可燃性ガスを押し出し、改質器６内から除去することができ、制御電源が喪失したときでも触媒劣化を起こさず改質器６を停止することができる。
また、実施の形態１では原料水の供給圧を貯水槽２１内の原料水の水位から得ているために、貯水槽２１の設置位置の制限があるのに対して、実施の形態２では原料水の供給圧を貯水槽２１Ｂ内の原料水の水位と合わせて貯水槽２１Ｂのガス空間８の圧力から得ているために、貯水槽２１Ｂの設置位置に関する制限がないという効果がある。
【００４３】
なお、実施の形態２においても実施の形態１と同様に運転時に貯水槽２１Ｂに溜まる原料水の水位が変動する場合は、原料水ポンプ２０が送出する原料水量と改質器６に供給される原料水量に差異が生じるが、実施の形態１で説明したように貯水槽２１Ｂの原料水の水位を測定することで改質器６に所定の原料水が供給されるように原料水ポンプ２０を制御できる。
また、実施の形態２においては、貯水槽２１Ｂの原料水の水位が変動することによってガス空間８の圧力も変化するため、ガス空間８の圧力を検出して改質器６に供給される原料水量を制御してもよい。
【００４４】
実施の形態３．
上述の実施の形態２に係わる改質システム１Ｂの運転において、原料水の供給圧力は改質器６の内部圧力により変動し、改質器６の内部圧力は改質器６の温度や供給する原料水量や原燃料量に依存する。運転開始直後の改質器６の温度は、定常状態に達しておらず一般的には定常状態より高い温度で運転されるために改質器６の内部圧力は高くなる。
また、燃料電池発電システムの定格運転時に比べ部分負荷運転時では、改質システム１Ｂが供給しなければならない燃料ガスが少ないので、供給する原燃料や原料水も減少するために改質器６の内部圧力は低くなる。
また、制御電源が喪失し、システムが停止した時点で貯水槽２１Ｂに溜まっている原料水は、システムが停止する直前の改質器側原料水供給圧力に相当する水位とガス圧とで溜まっている。それゆえ、停止直前の運転状態によっては貯水槽２１Ｂに溜まっている原料水の出水孔２４での貯水槽側原料水供給圧が不足し、制御電源喪失後の原料水の供給が不足することがある。実施の形態３に係わる発明は、この点に関するものである。
【００４５】
図６は、この発明の実施の形態３に係わる改質システムを適用した燃料電池発電システムの主要部の構成図である。
この発明の実施の形態３に係わる改質システム１Ｃは、実施の形態２に係わる改質システム１Ｂに蓄圧部１２を追加したことが異なっており、それ以外は同様であるので、同様な部分に同じ符号を付記して説明は省略する。
実施の形態３に係わる蓄圧部１２は、貯水槽２１Ｂのガス空間８の運転中に達する最高圧力を蓄える蓄圧容器３８、蓄圧容器３８と貯水槽２１Ｂとを連通する圧力導管３７、圧力導管３７に介設され、ガスの流れを制御する蓄圧制御弁３９を備える。
貯水槽２１Ｂ、圧力導管３７および蓄圧容器３８は、気密構造である。
蓄圧制御弁３９は、圧力導管３７の流通制御を行うが、制御電源が喪失した時には自動的に開状態になるような弁、例えばノーマルオープン弁である。
【００４６】
次に、実施の形態３に係わる改質システム１Ｃの動作について説明する。
停止状態の貯水槽２１Ｂ内の原料水は、停止時水位２９で溜まっている。
運転開始時には蓄圧制御弁３９を開状態とし、原料水ポンプ２０を動かし、改質器６に原料水を供給する。貯水槽２１Ｂ内の原料水の水位が上昇し、出水孔２４での貯水槽側原料水供給圧が改質器６の改質器側原料水供給圧力になったときに改質器６に原料水が供給される。そして、改質器６が運転中になると、貯水槽２１Ｂ内の水位が運転時相当水位３０となり、釣り合う。原料水の水位が停止時水位２９から運転時相当水位３０に上昇するまでに貯水槽２１Ｂの原料水の水面上部のガス空間８は圧縮され、ガス空間８に接続されている圧力導管３７を通して蓄圧容器３８にガスが圧縮され蓄えられる。そして、運転開始から貯水槽２１Ｂのガス空間８の圧力が上昇している間は蓄圧制御弁３９を開状態にし、ガス空間８の圧力が減少するときに蓄圧制御弁３９を閉状態とする。このように蓄圧制御弁３９を制御することで、蓄圧容器３８にはシステム起動以降に貯水槽２１Ｂのガス空間８が達した最高圧力が蓄えられることになる。
【００４７】
制御電源が喪失すると、原料水ポンプ２０と空気ブロア４が停止し、原料水供給弁２６と原燃料供給弁１７が閉止し、さらに蓄圧制御弁３９が開となる。従って、改質器６への原燃料の供給は停止するが、貯水槽２１Ｂには蓄圧容器３８に蓄えられた圧力が掛かるために原料水の供給は継続する。そして、制御電源の喪失が燃料電池発電システムおよび改質システム１Ｃのいかなる運転状態のとき起こっても、蓄圧容器３８には最高圧力が蓄えられているため、貯水槽２１Ｂから改質器６への原料水の供給圧力の不足は起こらず、確実に改質器６内に残留している原燃料や可燃性ガスを排除することができる。
【００４８】
なお、実施の形態３においては、運転中に蓄圧制御弁３９を貯水槽２１のガス空間８の圧力の増減により制御しているが、図７に示すように、貯水槽２１Ｂと蓄圧容器３８とを蓄圧導管４０と放圧導管４１とで連通してもよい。蓄圧導管４０には貯水槽２１Ｂから蓄圧容器３８方向への流れしか通さない逆止弁４２が介設され、放圧導管４１には放圧制御弁４３が介設されている。放圧制御弁４３は、制御電源喪失時に自動的に開状態となる弁、例えば、ノーマルオープン弁である。
【００４９】
そして、システム運転時は放圧制御弁４３を閉状態に維持しておく。このようにすると蓄圧容器３８に比べて貯水槽２１Ｂのガス空間８の圧力が高ければ、ガス空間８内のガスが逆止弁４２を通って蓄圧容器３８に流れ、蓄圧容器３８内の圧力が高くなり、蓄圧容器３８に比べて貯水槽２１Ｂのガス空間８の圧力が低ければ逆止弁４２によりガスの流れは遮断されているので、蓄圧容器３８の圧力は維持される。蓄圧容器３８の圧力は、システム起動後に貯水槽２１Ｂのガス空間８が達した最高圧力となる。このようにすることにより、蓄圧容器３８の圧力を最高圧力に保つための制御が不要になり、システム制御を簡単に行える。
【００５０】
このような改質システム１Ｃは、制御電源が喪失したとき、改質器６への原燃料の供給は停止するが原料水の供給は継続するので、改質器６内に残留している原燃料や可燃性ガスを押し出し、改質器６内から除去することができ、制御電源が喪失したときでも触媒劣化を起こさず改質器６を停止することができる。
また、制御電源の供給が喪失したときの運転状態に係わらず蓄圧容器３８にはガス空間８での最高圧力のときの圧力でガスが蓄えられているため、貯水槽２１Ｂから改質器６への原料水の供給圧力の不足は起こらず、確実に改質器６内に残留している原燃料や可燃性ガスを排除することができる。
【００５１】
実施の形態４．
図８は、この発明の実施の形態４に係わる改質システムを適用した燃料電池発電システムの主要部の構成図である。
この発明の実施の形態４に係わる改質システム１Ｄは、実施の形態２に係わる改質システム１Ｂに補充ガス供給部１３を追加したことが異なっており、それ以外は同様であるので、同様な部分に同じ符号を付記して説明は省略する。
実施の形態４に係わる補充ガス供給部１３は、図８に示すように、高圧の補充ガスが貯められている補充ガス供給手段４５、補充ガス供給手段４５と貯水槽２１Ｂとを連通するガス補充導管４４、ガス補充導管４４に介設され、補充ガスの圧力を制御するレギュレータ４６および補充ガスの供給を制御するガス補充制御弁４７を備える。
ガス補充制御弁４７は、制御電源喪失時に自動的に開状態になる弁、例えばノーマルオープン弁である。
補充ガス供給手段４５は、ガスボンベやガス貯蔵装置などが使用できる。
ガスとしては、原料水や構造材に悪影響を及ぼさずに、さらに、改質器６の触媒に悪影響を与えないことが好ましい。
レギュレータ４６は、補充ガス供給手段４５の供給ガス圧を所定の値まで減圧供給するように設定されている。
【００５２】
次に、実施の形態４に係わる改質システム１Ｄの動作について説明する。
実施の形態４に係わる燃料電池発電システムおよび改質システム１Ｄの動作は、停止中と運転中は実施の形態２と同様である。なお、運転中ではガス補充制御弁４７は閉状態であり、貯水槽２１Ｂ内の原料水が運転時相当水位３０まで上昇し、ガス空間８の圧力も上昇して、制御電源喪失時に貯水槽２１Ｂにはシステム停止直前の原料水供給圧力に対応する水位まで原料水が溜まっている。
制御電源が喪失したとき、空気ブロア４と原料水ポンプ２０が停止し、原燃料供給弁１７と原料水供給弁２６が閉止するとともに、ガス補充制御弁４７が開状態となる。
制御電源喪失後に貯水槽２１Ｂに溜められている原料水が改質器６に供給され続け、改質器６内に残留している原燃料や可燃性ガスを排除し、改質器６の触媒劣化を防止できる。
【００５３】
実施の形態４に係わる改質システム１Ｄは、制御電源が喪失したとき、ガス補充制御弁４７を開いて貯水槽２１Ｂに補充ガス供給手段４５からレギュレータ４６で減圧された補充ガスを供給し、制御電源が喪失した後の貯水槽２１Ｂの出水孔２４での貯水槽側原料水供給圧をレギュレータ４６の減圧設定値以上に維持することができるので、供給圧力不足による原料水供給の停止を起こさずに確実に原料水を供給することができる。従って、改質器６内に残留する原燃料や可燃性ガスの排除が確実にでき、信頼性の高いシステムとなる。
【００５４】
なお、貯水槽２１Ｂ内の原料水が無くなると改質器６に補充ガスが流入することになるが、補充ガスは改質器６の触媒に悪影響を与えないので問題がない。逆に、残留する原燃料や可燃性ガスを水蒸気で排除した後、改質器６に補充ガスを流すことにより、改質器６内部の水蒸気が凝縮水となることが避けられ、腐食などを防ぐという効果がある。
【００５５】
制御電源の喪失後、時間経過とともに改質器６の温度は低下し、改質器６内部の水蒸気の凝縮などにより改質器６内部は負圧になるが、補充ガスを用いて停止後の改質器６の負圧防止にも利用することができる。この場合にはレギュレータ４６の設定値を大気圧とほぼ同等に設定しておけばよい。
制御電源の喪失後、貯水槽２１Ｂ内に溜められた原料水が改質器６に供給され続け、貯水槽２１Ｂの出水孔２４での貯水槽側原料水供給圧が改質器６の改質器側原料水供給圧力より下がれば原料水の供給が一旦停止する。しかし、さらに時間が経過して改質器６の温度が低下し、改質器６の内圧が下がれば貯水槽２１Ｂ内に残っている原料水も改質器６に供給される。そして、原料水の水位が出水孔２４の位置以下になくなれば、補充ガスが改質器６に供給される。貯水槽２１Ｂ内の圧力はレギュレータ４６により大気圧程度に維持されるので改質器６の内部が負圧になることはない。
【００５６】
このような改質システム１Ｄは、制御電源が喪失したとき、改質器６への原燃料の供給は停止するが原料水の供給は継続するので、改質器６内に残留している原燃料や可燃性ガスを押し出し、改質器６内から除去することができ、制御電源が喪失したときでも触媒劣化を起こさずに改質器６を停止することができる。
また、制御電源の供給が喪失したときに補充ガス供給部１３から貯水槽２１Ｂに補充ガスが供給されるので、貯水槽２１Ｂのガス空間８に蓄えられた圧力が低くても確実に原料水を改質器６に供給できる。
【００５７】
なお、実施の形態４においては、貯水槽２１Ｂにガスを補充しているが、図６に示した蓄圧容器３８にガスを補充しても同様な効果がある。
また、実施の形態４においては、貯水槽２１Ｂにガス空間８が形成されているが、レギュレータ４６の設定値を原料水供給圧から貯水槽２１Ｂ内の出水孔２４の深さに相当する圧力を減じた値に設定しておけば、ガス空間８が無くとも制御電源喪失時に改質器６に貯水槽２１Ｂに溜められた原料水を供給することができる。
【００５８】
実施の形態５．
図９は、この発明の実施の形態５に係わる改質システムを適用した燃料電池発電システムの主要部の構成図である。
この発明の実施の形態５に係わる改質システム１Ｅは、実施の形態２に係わる改質システム１Ｂと原料水供給部１１Ｅが異なっており、それ以外は同様であるので、同様な部分に同じ符号を付記して説明は省略する。
実施の形態５に係わる原料水供給部１１Ｅにおいて、第１原料水供給導管２３と第２原料水供給導管２５とが接続点２８で接続されている。そして、貯水槽２１Ｂの下部には、原料水が出入する貯水導管４８の一端が接続されている。この貯水導管４８の他端は、第１原料水供給導管２３と第２原料水供給導管２５とに接続点２８で接続されている。
貯水導管４８には、貯水導管４８の流れを制御する貯水制御弁４９が設けられている。貯水制御弁４９は、制御電源が喪失した時に自動的に開状態となる弁、例えばノーマルオープン弁である。
【００５９】
次に、実施の形態５に係わる改質システム１Ｅの動作について説明する。
制御電源が供給されている場合、改質器６に原料水の供給を開始するときは、貯水制御弁４９は開状態である。
接続点２８で原料水に加わる圧力が改質器６の改質器側原料水供給圧力に達するまで、貯水槽２１Ｂ内の原料水の水位は上昇し、ガス空間８を圧縮する。そして、改質器６が運転中では原料水が運転時相当水位３０まで溜まる。
改質器側原料水供給圧力は、改質器６の運転状態によって変化し、上昇するときもあれば減少するときもある。運転中、改質器側原料水供給圧力が上昇するときには貯水制御弁４９を開状態にし、改質器側原料水供給圧力が下降するときには貯水制御弁４９を閉状態とする。具体的には、改質器６に原料水を供給開始後は接続点２８で原料水に加わる圧力が上昇するので貯水制御弁４９を開状態とし、改質器６の温度が定常状態になるにつれて改質器側原料水供給圧力が下降するとき貯水制御弁４９を閉状態とする。貯水制御弁４９が閉状態で接続点２８で原料水に加わる水圧が貯水導管４８の貯水制御弁４９より貯水槽２１Ｂ側で原料水に加わる圧力より高くなると、貯水制御弁４９を開状態とする。運転中、このような制御を繰り返す。
【００６０】
制御電源の喪失時には、原料水ポンプ２０が停止し、原燃料供給弁１７と原料水供給弁２６は閉状態となり、さらに、貯水制御弁４９もそれまでの状態に拘わり無く開状態となる。
貯水槽２１Ｂにはシステム運転開始時から制御電源の喪失が起きるまでに発生した接続点２８で原料水に加わる最大の水圧に相当する水位まで原料水が溜められている。この結果、供給圧力の不足が起こることなく貯水槽２１Ｂに溜められた原料水が改質器６に供給され、改質器６内に残留する原燃料や可燃性ガスが確実に改質器６内から排除されるため改質器６の触媒劣化を防止でき、信頼性の高いシステムが得られる。
【００６１】
なお、実施の形態５においては、貯水槽２１Ｂに１本の貯水導管４８を通って原料水が入出力されるが、図１０に示すように、第１貯水導管４８ａと第２貯水導管４８ｂとで貯水槽２１Ｂと第１原料水供給導管２３および第２原料水供給導管２５とを接続すれば、制御が不要になる。この場合、貯水槽２１Ｂの下部に第１貯水導管４８ａと第２貯水導管４８ｂとが接続されている。そして、第１貯水導管４８ａの他端が、第１原料水供給導管２３に接続点２８の近傍の注水孔２２で接続されている。また、第２貯水導管４８ｂの他端が、第２原料水供給導管２５に接続点２８の近傍の出水孔２４で接続されている。
第１貯水導管４８ａには、注水孔２２から貯水槽２１Ｂへの方向の流れだけを通す逆止弁５０が設けられ、第２貯水導管４８ｂには、制御電源喪失時には自動的に開状態となる放水弁５１が設けられる。
【００６２】
システム運転中では、放水弁５１は閉状態を維持しており、出水孔２４で原料水に加わる圧力は注水孔２２で原料水に加わる圧力とほぼ等しいために、注水孔２２で原料水に加わる圧力が逆止弁５０の貯水槽２１Ｂ側で原料水に加わる圧力より高くなると、逆止弁５０を通って貯水槽２１Ｂに原料水が溜められる。一方、注水孔２２で原料水に加わる圧力が逆止弁５０の貯水槽２１Ｂ側で原料水に加わる圧力より低くなると、逆止弁５０は閉じたままで貯水槽２１Ｂに溜められた原料水量はそのまま維持される。従って、貯水槽２１Ｂにはシステム運転開始以降、注水孔２２で原料水に加わった最大の圧力に相当する水位まで原料水が溜められている。
そして、制御電源が喪失したときには、放水弁５１が開状態となるので、貯水槽２１Ｂから供給される原料水の供給圧力が不足することなく、改質器６に原料水を継続して供給することができる。従って、運転中の貯水槽２１Ｂに改質器６に供給した原料水の最高圧力に相当する水位まで原料水を特別な制御無しに溜めることができる。
【００６３】
実施の形態６．
図１１は、この発明の実施の形態６に係わる改質システムを適用する燃料電池発電システムの主要部の構成図である。
この発明の実施の形態６に係わる改質システム１Ｆは、実施の形態２に係わる改質システム１Ｂに水蒸気排気部１４を追加したことが異なっており、それ以外は同様であるので、同様な部分に同じ符号を付記して説明は省略する。
【００６４】
上述の実施の形態１乃至５に係わる改質器６には、改質器６の内部圧力と燃料ガス供給導管３、燃料極２ａ、燃料オフガス排気導管５を水蒸気が通る時の圧力損失に打ち勝つ改質器側原料水供給圧力で原料水を供給している。しかし、システム停止時に改質器６内部に残留する原燃料や可燃性ガスを排除するだけならば、改質器６から出た水蒸気を燃料ガス供給導管３、燃料極２ａ、燃料オフガス排気導管５に通す必要はない。この実施の形態６はこの考えに基づいている。
【００６５】
実施の形態６に係わる水蒸気排気部１４は、図１１に示すように、燃料ガス供給導管３から分岐する水蒸気排気導管５２、水蒸気排気導管５２に介設され、改質器６から排気方向の流れだけ通す逆止弁５３および水蒸気の流れを制御する水蒸気排気弁５４を備える。
水蒸気排気導管５２は、システム外に排気するようになっている。
水蒸気排気弁５４は、制御電源喪失時に自動的に開状態になる弁、例えば、ノーマルオープン弁である。
このように構成しても、運転時に貯水槽２１Ｂに原料水を運転時の改質器側原料水供給圧力に相当する水位まで溜められ、制御電源喪失時に改質器６に原料水を供給し続けられ、改質器６の触媒劣化を防止できる。
【００６６】
また、制御電源が喪失したときには水蒸気排気弁５４が開状態となるので、改質器６から送出された水蒸気は水蒸気排気導管５２を通り排気される。そのため、改質器６以降の水蒸気が通る流路の圧力損失が小さく、制御電源が喪失した後で改質器６に原料水を供給する改質器側原料水供給圧力が小さくて済む。この結果、運転中に貯水槽２１Ｂに溜まる原料水の圧力が小さくて済み、ガス空間８を小さくでき或いは運転時相当水位３０を低くできるので、貯水槽２１Ｂの小形化が可能となる。
逆止弁５３は、貯水槽２１Ｂの圧力が低下して改質器６への原料水供給が停止後に水蒸気排気導管５２から改質器６へ空気が流入しないために設けられており、改質器６の触媒が空気により悪影響を受けなければ必要無い。
【００６７】
実施の形態７．
図１２は、この発明の実施の形態７に係わる貯水槽の断面図である。
この発明の実施の形態７に係わる改質システムは、実施の形態２に係わる改質システム１Ｂと貯水槽２１Ｇが異なっており、それ以外は同様であるので同様な部分に同じ符号を付記して説明は省略する。
実施の形態７に係わる貯水槽２１Ｇは、図１２に示すように、容積が変わる気密容器である。貯水槽２１Ｇは、貯水筐体５５内に容積可変の貯水容器５６と貯水容器５６に圧縮力を掛けるばね機構５７が設けられている。貯水容器５６は側面が蛇腹構造を持ち、上下方向に伸び縮みし内容積が変化する。第１原料水供給導管２３および第２原料水供給導管２５は、貯水容器５６に接続されている。
【００６８】
システム停止状態では、図１２（ａ）に示すように、貯水容器５６はばね機構５７により圧縮されているが、運転時には、図１２（ｂ）に示すように、原料水ポンプ２０により原料水が貯水容器５６に供給され、原料水供給圧力まで貯水容器５６の内部圧力が上昇する。この結果、貯水容器５６は、ばね機構５７を圧縮して容積が増加する。すなわち、貯水容器５６には原料水供給圧力で原料水が溜められる。
【００６９】
制御電源喪失時には、ばね機構５７の力で貯水容器５６は圧縮されるため原料水が改質器６に供給され、改質器６の触媒劣化を防止することができる。
また、貯水槽２１Ｇは、原料水供給圧力をばね機構５７に蓄えるために貯水容器５６内にガス空間が必要なく、制御電源喪失後に溜めた全ての原料水を供給し終わった後に改質器６内にガスが流入することが無い。従って、ガスによる改質器６の触媒劣化を考慮せずにシステム構成や改質器６の触媒選定ができる。
【００７０】
また貯水容器５６内にガス空間が無いため、出水孔２４は貯水容器５６の下方に限らず設置位置の制限が無い。
貯水容器５６としては、例えばシリンダと可動ピストンからなり可動ピストンの位置の変化により容積が可変になる容器など、図１２で示した蛇腹構造を持つ容器に限るものではない。
なお、実施の形態１乃至７において改質システムを燃料電池発電システムに適用した場合を例として説明したが、この発明の改質システムの適用を燃料電池発電システムに限るものではない。
【図面の簡単な説明】
【００７１】
【図１】この発明の実施の形態１に係わる改質システムを適用する燃料電池発電システムの主要部の構成図である。
【図２】実施の形態１に係わる貯水槽の変形例の構成図である。
【図３】実施の形態１に係わる貯水槽の他の変形例の構成図である。
【図４】この発明の実施の形態２に係わる改質システムを適用する燃料電池発電システムの主要部の構成図である。
【図５】実施の形態２に係わる貯水槽の変形例の一部構成図である。
【図６】この発明の実施の形態３に係わる改質システムを適用する燃料電池発電システムの主要部の構成図である。
【図７】実施の形態３に係わる蓄圧部の変形例の構成図である。
【図８】この発明の実施の形態４に係わる改質システムを適用する燃料電池発電システムの主要部の構成図である。
【図９】この発明の実施の形態５に係わる改質システムを適用する燃料電池発電システムの主要部の構成図である。
【図１０】実施の形態５に係わる原料水供給部の変形例の一部構成図である。
【図１１】この発明の実施の形態６に係わる改質システムを適用する燃料電池発電システムの主要部の構成図である。
【図１２】この発明の実施の形態７に係わる貯水槽の構成図である。
【符号の説明】
【００７２】
１、１Ｂ、１Ｃ、１Ｄ、１Ｅ、１Ｆ  改質システム、２  燃料電池、２ａ  燃料極、２ｂ  酸化剤極、３  燃料ガス供給導管、４  空気ブロア、５  燃料オフガス排気導管、６  改質器、７、４２、５０、５３  逆止弁、８  ガス空間、１０  原燃料供給部、１１、１１Ｂ、１１Ｅ  原料水供給部、１２  蓄圧部、１３  補充ガス供給部、１４  水蒸気排気部、１５  原燃料源、１６  原燃料供給導管、１７  原燃料供給弁、１９  原料水タンク、２０  原料水ポンプ、２１、２１Ｂ、２１Ｇ  貯水槽、２２  注水孔、２３、２５  原料水供給導管、２４  出水孔、２６  原料水供給弁、２７  導管、２８  接続点、２９  停止時水位、３０  運転時相当水位、３１  水位弁、３２  弁座、３３  可動弁、３４  ロッド、３５  フロート、３６  水位、３７  圧力導管、３８  蓄圧容器、３９  蓄圧制御弁、４０  蓄圧導管、４１  放圧導管、４３  放圧制御弁、４４  ガス補充導管、４５  補充ガス供給手段、４６  レギュレータ、４７  ガス補充制御弁、４８、４８ａ、４８ｂ  貯水導管、４９  貯水制御弁、５１  放水弁、５２  水蒸気排気導管、５４  水蒸気排気弁、５５  貯水筐体、５６  貯水容器、５７  ばね機構。
【図１】
2007153681.tif 000003
【図２】
2007153681.tif 000004
【図３】
2007153681.tif 000005
【図４】
2007153681.tif 000006
【図５】
2007153681.tif 000007
【図６】
2007153681.tif 000008
【図７】
2007153681.tif 000009
【図８】
2007153681.tif 000010
【図９】
2007153681.tif 000011
【図１０】
2007153681.tif 000012
【図１１】
2007153681.tif 000013
【図１２】
2007153681.tif 000014